(57)【要約】【課題】厚い薬品類の排出・払出にも適する簡便な縦積み達磨落とし方式を実現する。【解決手段】ＰＴＰ束包装体８を各々は横にしたうえで縦に積み重ねて整列収納させた状態で保持するとともに下から順に横送りして前方へ排出する薬品類カセット１０に、ＰＴＰ束包装体８を上面に載せて保持する内底板対１５，１５と、ＰＴＰ束包装体８のうち最下のものの後端を押す押出部材２０と、押出部材２０に後続して設けられ押出部材２０から離れるほど低くなる緩衝部材３０と、押出部材２０と緩衝部材３０を内底板対１５，１５に沿って前送りする無端ベルト１６とを備える。緩衝部材３０は、大小の順に並んだ複数の可撓性板状体３１〜３４からなり、可撓性板状体３１〜３４は、何れも、湾曲した状態で前後の二辺が無端ベルト１６に取り付けられている。【選択図】        図１
2010017372.tif 000002
【特許請求の範囲】
【請求項１】
積み重ね可能な薬品類を各々は横にしたうえで縦に積み重ねて整列収納させた状態で保持するとともに下から順に横送りして前方へ排出する薬品類カセットであって、前記薬品類を上面に載せて保持する内底部材と、前記薬品類のうち最下のものの後端を押す押出部材と、前記押出部材に後続して設けられ前記押出部材から離れるほど低くなる緩衝部材と、前記押出部材と前記緩衝部材とを前記内底部材に沿って前送りする送り機構とを備えていることを特徴とする薬品類カセット。
【請求項２】
前記内底部材は、左右に分かれて並置された一対の内底板を具備したものであり、前記送り機構は、前記内底板対の間で又はその直ぐ下で前後に延びる無端ベルトを具備したものであり、前記緩衝部材は、大小の順に並んだ複数の可撓性板状体からなり、前記可撓性板状体は、何れも、湾曲した状態で前後の二辺が前記無端ベルトに取り付けられていることを特徴とする請求項１記載の薬品類カセット。
【請求項３】
前記薬品類を整列収納状態で保持する部分の前面と左右両面には固定板が配され、そこの背面には可動板が吊り下げられていることを特徴とする請求項１又は請求項２に記載された薬品類カセット。
【請求項４】
一の又は複数の棚と、前記棚に列設された順次排出機構と、積み重ね可能な薬品類を各々は横にしたうえで縦に積み重ねて整列収納させた状態で内底部材の上面に載せて保持する箱体からなり前記順次排出機構の上に一つずつ装着される整列収納部と、前記整列収納部から前記順次排出機構にて排出された薬剤を収集して払い出す収集払出機構とを備えた薬品類払出装置であって、
前記順次排出機構は、前記整列収納部に保持されている前記薬品類のうち最下のものの後端を押す押出部材と、前記押出部材に後続して設けられ前記押出部材から離れるほど低くなる緩衝部材と、前記押出部材と前記緩衝部材とを前記内底部材に沿って前送りする送り機構とを具備していて、前記薬品類を下から順に横送りして前方へ排出するようになっている
ことを特徴とする薬品類払出装置。
【請求項５】
前記内底部材は、左右に分かれて並置された一対の内底板を具備したものであり、前記送り機構は、前記内底板対の間で又はその直ぐ下で前後に延びる無端ベルトを具備したものであり、前記緩衝部材は、大小の順に並んだ複数の可撓性板状体からなり、前記可撓性板状体は、何れも、湾曲した状態で前後の二辺が前記無端ベルトに取り付けられていることを特徴とする請求項４記載の薬品類払出装置。
【請求項６】
前記整列収納部の前記箱体は、前面と左右両面とに固定板が配され、背面に可動板が吊り下げられていることを特徴とする請求項４又は請求項５に記載された薬品類払出装置。
【発明の詳細な説明】
【技術分野】
【０００１】
この発明は、病院薬局等における調剤業務を支援するための薬品類カセット及び払出装置に関し、詳しくは、薬品類を整列収納しておき端から順に排出する薬品類カセット及び薬品類払出装置に関する。更に詳しくは、積み重ね可能な薬品類を各々は横にして上下に積み重ねることにより多数保持するとともに下から順に薬品類の長手方向へ横送りして排出する薬品類カセット及び薬品類払出装置に関する。
この発明は、箱物セット薬剤のように厚みのある薬品類を対象とした逐次排出・自動排出・自動払出に適し、さらには帯締め等によるＰＴＰ包装剤の束（ＰＴＰ結束体）の逐次排出や，それを柔らかい袋に詰めた軟質包装の薬品類（ＰＴＰ束包装体）の逐次排出にも、適するものである。
【背景技術】
【０００２】
ＰＴＰ包装剤の整列維持と整列前進と順次排出とを振動にて行うようになった振動排出カセットが実用化されている（例えば特許文献１参照）。このカセットは、ＰＴＰ包装剤等の薬剤を整列収納する外板と、その解放前面の上部で先頭薬剤の上端部と干渉して収納薬剤の前倒を止める上枠と、上面のうち前端部分が前上がり傾斜で残部が前下がり傾斜に形成されており収納薬剤を載せて振動時には前進させる内板と、この内板を振動させる振動部材とを備えている。そして、薬剤を外板内の薬剤収納空間に入れて内板の上に立てて並べ、先頭の薬剤のものを上枠に立て掛けると、多数の薬剤が倒れずに横一列に整列収納される。さらに、内板を振動させると、収納薬剤が先頭から一つずつ順次排出される。
【０００３】
また、そのような振動排出カセットや改良を加えたＰＴＰカセットを多数並べて保持する支持手段と、各カセットから放出されたＰＴＰ包装剤を下方へ導く落下案内部材と、それらのＰＴＰ包装剤を収集する収集機構とを備え、各種のＰＴＰ包装剤のうちから処方や調剤指示に応じて必要なＰＴＰ包装剤を自動で払い出すようになったＰＴＰ払出装置も実用化されている（例えば特許文献２参照）。
さらに、他の薬品類を取り扱う装置も見ると、左右の長手方向には水平だが前後には傾斜している棚に対してカセットの主要機構を棚長手方向・非傾斜方向に等ピッチや不等ピッチで並べて固定設置した薬剤払出装置も開発されている（例えば特許文献３参照）。
【０００４】
一方、振動を利用しないでＰＴＰ包装剤の整列収納と順次排出とを行う場合、薬剤を各々は横にしたうえで縦に積み重ねてカセットに整列収納させておき、上から順に取り上げるか、あるいは下から順に横送りするようになっていた。上から取り上げる方式のものとしては、摘み出し等の手法を用いたものや、パッドで吸着するものが挙げられる。後者のパッド吸着方式は（例えば特許文献４参照）、処理効率向上と機構簡素化とを共に達成したものであり、回転可能な収納庫に収納された多数の薬剤カセットと、薬剤カセットのうち取出位置に来たものから調剤用薬剤を吸引して取り出す取出機構とを備えている。
これに対し、下から順に横送りする方式のものは（例えば特許文献５参照）、カセットの内底に多数の回転輪を狭ピッチで列設しておき、それを回転させることにより最下の薬剤を摩擦力で横送りするようになっている。
【０００５】
【特許文献１】特開２００６−１０９８５４号公報
【特許文献２】特開２００６−２２３５２８号公報
【特許文献３】特開２００７−０２０８９７号公報
【特許文献４】特開２０００−１６７０２３号公報
【特許文献５】特開平１０−７５９８９号公報（図３）
【発明の開示】
【発明が解決しようとする課題】
【０００６】
［特許文献６］  特願２００７−１１９３５７号
［特許文献７］  特願２００７−１４９０７３号
［特許文献８］  特願２００７−３１１９４０号
［特許文献９］  特願２００８−１５８５５８号
【０００７】
また、薄いＰＴＰ包装剤をそのまま取り扱うのでなく、複数枚・多数枚のＰＴＰ包装剤を通常は束ねてから柔らかい袋に詰めた軟質包装の薬品類（ＰＴＰ束包装体）とし、この厚みのある薬品類の整列収納と順次排出とを行う薬品類カセットも開発されている（例えば特許文献６）。このカセットは、傾斜している滑落面上に整列収納された薬品類を逐次排出する薬品類カセットにおいて、各々が前記滑落面の傾斜方向に延びるとともに互いが並走する状態で設けられた滑落面画成部材にて前記滑落面が形成されており、クローラベルトの上側部分を前記滑落面とは逆に傾斜させたクローラ機構を備えた排出機構が前記滑落面の落下端近傍で前記滑落面画成部材の間に設けられている、というものである。
この場合、薬品類の整列維持と整列前進が滑落面上で行われるので、薬品類を縦に積み重ねることは行われず、薬品類は多少傾斜して横に並べられる。
【０００８】
さらに、薄いＰＴＰ包装剤の逐次排出に戻ると、最下薬剤の横送り方式に振動を組み合わせたことにより、腰のないＰＴＰ包装剤でも円滑に順次排出できるようになった振動排出カセットも開発されている（特許文献７参照）。具体的には、ＰＴＰ包装剤を各々は横にしたうえで縦に積み重ねて整列収納させた状態で保持するとともに下から順に横送りして排出する振動排出カセットであって、ＰＴＰ包装剤を上面に載せて保持する内底部材と、ＰＴＰ包装剤のうち最下のものをその下面への摩擦力で横送りする摩擦部材と、内底部材を上下に振動させる振動部材とを備え、摩擦部材が内底部材に設けられていて振動部材の作動時には内底部材の振動が摩擦部材に伝達されるとともにＰＴＰ包装剤にも伝達されてＰＴＰ包装剤のうち最下のものとその上のものとの絡み付きが回避される程度まで両ＰＴＰ包装剤間の摩擦力が低減されるようになっている、というものが開発されている。
【０００９】
ところが、このようなＰＴＰカセットやＰＴＰ払出装置でも上手く扱えない樋状変形癖のＰＴＰ包装剤が現われて、振動や摩擦による従来の送り手法では適切な振動状態や摩擦状態の確定や調整が難しくなったため、新規な構成のＰＴＰカセットやＰＴＰ払出装置が開発されている。それは（特許文献８，９参照）、ＰＴＰ包装した薬剤またはそれと等価な薬剤を各々は横にしたうえで縦に積み重ねて内底部材の上に整列収納状態で保持するとともに下から順に横送りして前方へ排出することを前提として、更に、保持している薬剤のうち最下のものの後端を引っ掛ける引掛部材と、この引掛部材を上記の内底部材に沿って前送りする送り機構とを備えたものであり、整列収納したＰＴＰ包装剤等の薬剤を順次排出する際、送り機構が作動して引掛部材が内底部材に沿って前送りされ、これに伴って最下の薬剤が後端を内底部材に引っ掛けられて前方へ押し出されるようになっている。
【００１０】
ところで、縦に積み重ねて整列収納する言わば縦積み方式には、収納量が一目で分かるという利点があり、下から順に排出する言わば達磨落とし方式には、上から追加することにより、補充が容易かつ迅速に行えるという利点がある。
そのため、これらの利点を持つ縦積み達磨落とし方式をＰＴＰ包装剤以外の薬品類の排出・払出にも適用するのが有用なことと思われる。
そして、ＰＴＰ包装剤と同様に薄い薬剤たとえばシート状包装やカード状包装の薬剤に対しては、上述の引っ掛け手法を踏襲することで、簡便に、適用することができる。
【００１１】
しかしながら、ＰＴＰ結束体や，ＰＴＰ束包装体，箱物セット薬剤のように積み重ね可能とはいっても個々に厚みのある薬品類を対象として縦積み達磨落とし方式を上述の引っ掛け手法で具体化した場合、薬品類がかなり厚いと、その厚みに起因して逐次排出時に積重整列状態が乱れるため、排出動作が円滑に行えなくなるという不所望な事態に至る。
すなわち、達磨落としによって最下の薬品類が素早く抜けると、残りの積重整列薬剤が一斉に自由落下するが、その落差が大きいため、下積みの薬品類に掛かる衝撃が過激になってしまって、薬品類の破損や整列の乱れといった不所望な事態に至ることもある。
【００１２】
しかも、達磨落としが素早く行われるとはいっても多少の時間は掛かるため、達磨落とし実行時に最下の薬品類が抜け始めてから抜け終わるまでは次の薬品類は片側だけ支承されて他側が支えを外されて落下する状態におかれることから、その片側支承の薬品類やその直ぐ上の下積み薬品類に揺動・回転運動が惹起されるが、積重整列薬剤の落下時の落差が大きいと、上記揺動の継続時間が長いので、下積み薬品類の揺動も大きくなる。そのため、薬品類の破損や整列の乱れといった不所望な事態の発生が無視できなくなる。
そこで、縦積み達磨落とし方式を厚い薬品類の排出・払出にも適用できるよう改良するとともに引っ掛け手法に代わる簡便な具体化策を案出することが技術的な課題となる。
【課題を解決するための手段】
【００１３】
本発明の薬品類カセット及び払出装置は（解決手段１）、このような課題を解決するために創案されたものであり、積み重ね可能な薬品類を各々は横にしたうえで縦に積み重ねて整列収納させた状態で保持するとともに下から順に横送りして前方へ排出するものであって、更に次のようになっている。
すなわち、薬品類カセットは（当初請求項１）、前記薬品類を上面に載せて保持する内底部材と、前記薬品類のうち最下のものの後端を押す押出部材と、前記押出部材に後続して設けられ前記押出部材から離れるほど低くなる緩衝部材と、前記押出部材と前記緩衝部材とを前記内底部材に沿って前送りする送り機構とを備えている。
【００１４】
薬品類払出装置は（当初請求項４）、一の又は複数の棚と、前記棚に列設された順次排出機構と、積み重ね可能な薬品類を各々は横にしたうえで縦に積み重ねて整列収納させた状態で内底部材の上面に載せて保持する箱体からなり前記順次排出機構の上に一つずつ装着される整列収納部と、前記整列収納部から前記順次排出機構にて排出された薬剤を収集して払い出す収集払出機構とを備え、前記順次排出機構は、前記整列収納部に保持されている前記薬品類のうち最下のものの後端を押す押出部材と、前記押出部材に後続して設けられ前記押出部材から離れるほど低くなる緩衝部材と、前記押出部材と前記緩衝部材とを前記内底部材に沿って前送りする送り機構とを具備していて、前記薬品類を下から順に横送りして前方へ排出するようになっている。
【００１５】
また、本発明の薬品類カセット及び払出装置は（解決手段２）、上記解決手段１の薬品類カセット及び払出装置であって、前記内底部材は、左右に分かれて並置された一対の内底板を具備したものであり、前記送り機構は、前記内底板対の間で又はその直ぐ下で前後に延びる無端ベルトを具備したものであり、前記緩衝部材は、大小の順に並んだ複数の可撓性板状体からなり、前記可撓性板状体は、何れも、湾曲した状態で前後の二辺が前記無端ベルトに取り付けられていることを特徴とする。
【００１６】
さらに、本発明の薬品類カセット及び払出装置は（解決手段３）、上記解決手段１，２の薬品類カセット及び払出装置であって、前記薬品類を整列収納状態で保持する部分（薬品類払出装置では前記整列収納部の前記箱体）の前面と左右両面には固定板が配され、そこの背面には可動板が吊り下げられていることを特徴とする。
【発明の効果】
【００１７】
このような本発明の薬品類カセット及び払出装置にあっては（解決手段１）、整列収納したＰＴＰ結束体等の薬剤を順次排出する際、送り機構が作動して押出部材が内底部材に沿って前送りされ、これに伴って最下の薬剤が後端を押出部材に押されて前方へ押し出されるが、最下の薬剤が押し出されて出来た間隙に素早く緩衝部材が入り込む。そして、残りの積重整列薬剤が一斉に自由落下したときには、その落差が緩衝部材によって縮められて小さくなっているため、下積みの薬品類に掛かる衝撃が弱まる。また、緩衝部材の緩衝作用によっても衝撃が緩和されるので、衝撃の影響が一層弱まる。これにより、薬品類の破損や整列の乱れが防止されることとなる。
【００１８】
また、押出部材に後続して設けられている緩衝部材が押出部材から離れるほど低くなっているが、この緩衝部材の傾きが、落下する下積み薬品類の揺動の向きに合っているので、揺動に起因した衝撃も緩和され、衝撃の影響が更に弱まる。
しかも、次の排出動作に備えて緩衝部材が下積み薬品類の下から抜け出すときにも、円滑に抜けるので、排出時も他の時も薬品類に不所望な衝撃が掛かることは無い。
したがって、この発明によれば、薬品類が厚くても縦積み達磨落とし方式による逐次排出・自動払出が的確になされる薬品類カセットや薬品類払出装置が実現される。そのため、収納量が一目で分かるという利点や，補充が容易かつ迅速に行えるという利点を享受することができる。
【００１９】
また、本発明の薬品類カセット及び払出装置にあっては（解決手段２）、緩衝部材も含めて順次排出機構が簡素な構造で具体化される。しかも、緩衝部材に大小順の可撓性板状体を採用し、各板状体を湾曲させて前後二辺を無端ベルトに取り付けたことにより、緩衝部材が、押出部材より長いものであっても、無端ベルトの直進にも転回にも無理なく変形して、押出部材を的確に追い掛けることとなる。そればかりか、板状体を例えば指で摘んで強く曲げれば、弾性限を超えて板状体が塑性変形するので、緩衝部材の形状に係る微調整を製造時に限らず稼働開始後でも容易に行うことができる。
したがって、この発明によれば、薬品類が厚くても縦積み達磨落とし方式による逐次排出・自動払出が的確になされる薬品類カセットや薬品類払出装置であって調整も容易なものを実現することができる。
【００２０】
さらに、本発明の薬品類カセット及び払出装置にあっては（解決手段３）、整列収納部の背面に可動板を吊り下げたことにより、簡便に、達磨落とし時の下積み薬品類の揺動による薬品類の整列の乱れを抑制することができる。しかも、吊り下げた可動板は手先で簡単に動かせるので、薬品類の補充が面倒になることもない。
【発明を実施するための最良の形態】
【００２１】
このような本発明の薬品類カセット及び払出装置を実施するのに好適な実施形態を幾つか説明する。
本発明の薬品類カセット及び払出装置の実施形態１は、上述した解決手段の薬品類カセットや払出装置であって、前記押出部材は、基端部が固く、先端部が柔らかく、全高が前記緩衝部材より高いことを特徴とする。
この場合、押出部材の衝撃の増大を回避しながら、より厚い薬品類までも的確に押し出すことができるようになる。
【００２２】
また、本発明の薬品類カセット及び払出装置の実施形態２は、上述した解決手段または実施形態の薬品類カセットや払出装置であって、前記押出部材の先端部が多数の線状部材からなり、薬品類排出位置に付設されている可撓性留具の下端部も多数の線状部材からなり、前記送り機構による前記押出部材の前送り中に前記押出部材の先端部と前記可撓性留具の下端部とが擦れ違うようになっていることを特徴とする。
この場合、可撓性留具を延長して薬品類の勝手な滑り落ちの防止力を強化することと、押出部材を延長して薬品類の排出用の押出力を強化することとを、相手方との干渉による制約を超えて、同時に高めることができる。
【００２３】
さらに、本発明の薬品類カセット及び払出装置の実施形態３は、上述した解決手段または実施形態の薬品類カセットや払出装置であって、前記送り機構による前記押出部材の前送りを停止するとき、前記緩衝部材に前記薬品類を乗せた状態で停止するようになっていることを特徴とする。
この場合、押出部材が薬品類の勝手な滑り落ちを前から押し止めるとともに、緩衝部材の傾斜が内底部材の前下がり傾斜を緩和して、やはり薬品類の勝手な滑り落ちを防止する。さらに、排出時には、押出部材による最下薬品類の押出に先だって、緩衝部材の抜け出しが行われるが、押出部材から離れるほど低くなる緩衝部材が抜け出すと、積重整列薬品類に前下がり揺動が生じ、これが薬品類押出後の後下がり揺動の開始を遅らせるとともに後下がり揺動の総量を小さくするので、薬品類の破損や整列の乱れがより的確に防止されることとなる。
【００２４】
このような本発明の薬品類カセット及び薬品類払出装置について、これを実施するための具体的な形態を、以下の実施例１〜３により説明する。
図１〜５に示した実施例１は、上述した解決手段１〜３の薬品類カセット（出願当初の請求項１〜３）を具現化したものであり、図６〜７に示した実施例２は、上述した解決手段１〜３の薬品類払出装置（出願当初の請求項４〜６）を具現化したものである。
なお、それらの図示に際しては、簡明化等のため、ボルト等の締結具や，ヒンジ等の連結具，モータドライバ等の電気回路，コントローラ等の電子回路などは図示を割愛し、発明の説明に必要なものや関連するものを中心に図示した。
【実施例１】
【００２５】
本発明の薬品類カセットに係る実施例１について、その具体的な構成を、図面を引用して説明する。図１は、（ａ）が薬品類カセット１０の斜視図、（ｂ）が押出部材２０と緩衝部材３０の斜視図、（ｃ）〜（ｄ）が押出部材２０と緩衝部材３０の側面図、（ｅ）が空の薬品類カセット１０の縦断面図である。
【００２６】
この薬品類カセット１０は、ＰＴＰ結束体やＰＴＰ束包装体といった積み重ね可能な薬品類を各々は横にしたうえで縦に積み重ねて整列収納させた状態で保持する箱体１１（整列収納部）と、その中の薬品類を下から順に横送りして前方へ排出する順次排出機構１６〜３０とを具えている。
【００２７】
箱体１１は、整列収納のため鉛直な前板（前面の固定板）とやはり鉛直な両側板（左右両面の固定板）と水平な外底板とを具えているが、補充容易化のため上面は解放されており、補充容易化と薬品類整列の乱れ抑制との両立を図るため、後背面は一応解放されているが、その背面には可動板１９が吊り下げられている。この可動板１９は、上端部が箱体１１の両側板の上縁に係止されて、下端部が前後に揺動しうるようになっている。また、可動板１９の吊り下げ位置は、即ち箱体１１の両側板の上縁に対する可動板１９の係止箇所は、例えば既定ピッチの穴やノッチを選択しての係止あるいは任意位置での掴持やクランプによる係止などで、前後に可変調節しうるようになっている。
【００２８】
箱体１１の前面には、薬品類補充時に対象物の確認やバーコード入力作業が容易かつ的確に行えるよう、薬品類カセット１０に収納されるべき薬品類の品名や識別コードを印刷したラベル１２が貼り付けられている。箱体１１の前面の下部には、薬品類が順次排出されるときに通過する排出口１３が開口形成されており、排出口１３の上側部分には横幅全域に亘って可撓性留具１４が垂れ下がっており、可撓性留具１４の先端・下端の近くに前端を位置させた一対の内底板１５，１５（内底部材）が左右に分かれて並置されている。可撓性留具１４は、上端部から下端部まで全部が或いは少なくとも下端部が多数の線状部材からなり、可撓性に富んだ線状部材が髭状・櫛歯状に列設されている。
【００２９】
内底板対１５，１５は両者の間を開けて箱体１１の前後に亘って延びており、左の内底板１５は箱体１１の左側板の内側に取り付けられ、右の内底板１５は箱体１１の右側板の内側に取り付けられて、傾斜角度θ１の前下がり状態・後上がり状態を維持している。そのため、薬品類が内底板１５の上面に載せられて積み重ね収納されると、その薬品類が自重の分力によって前方へ僅かに付勢されて箱体１１の前板に前端を当接させた状態を採ることにより整列収納時の姿勢が安定するようになっている。また、最下の薬品類やその直ぐ上の薬品類は、その前端が排出口１３のところで可撓性留具１４に当接することで、勝手には滑り出ないようになっている。可撓性留具１４は上端が固定され下端が固定されていないので、最下の薬品類は弱い力で押し出せるが、その上の薬品類は可撓性留具１４や前板に止められて排出されないようになっている。
【００３０】
順次排出機構１６〜３０は、無端ベルト１６と排出センサ１７と電動モータ１８と押出部材２０と緩衝部材３０を具えたものであり、箱体１１の外底板の上に設けられている。
無端ベルト１６は、両端をローラで支持されて前後に延びており、平面視ではほぼ全体が内底板対１５，１５の間に位置し、側面視では上辺部分が内底板１５より僅かに低いところに位置する状態で、内底板１５に沿って同じ傾斜角度θ１で前下がり傾斜しており、電動モータ１８の駆動によって上側を前進させるようになっている。電動モータ１８は、図示しない制御回路の動作制御に従って、薬品類を一個だけ排出するときには間欠動作し、薬品類を複数個続けて順次排出するときには連続動作するようになっている。
【００３１】
このような無端ベルト１６の外周面には、押出部材２０と緩衝部材３０が装着されている。図示の例では押出部材２０と緩衝部材３０とが一組しか装着されていないが、複数組が装着されていても良い。複数装着の場合、無端ベルト１６に沿って測った押出部材２０の相互距離が薬品類の長さより大きくなるように各組が分散させられる。そして、電動モータ１８が作動すると、無端ベルト１６が循環し、それに伴って、押出部材２０と緩衝部材３０とが内底板対１５，１５の間から上に先端部２２や可撓性板状体３１〜３４を突き上げながら前進するとともに、前進を終えた押出部材２０と緩衝部材３０とが内底板１５及び無端ベルト１６の下を通って後方へ戻り、さらに停止位置まで前進することとなる。このような無端ベルト１６は、押出部材２０と緩衝部材３０とを内底板１５に沿って前送りする送り機構となっている。
【００３２】
押出部材２０は、箱体１１の中に積み重ねて整列収納された薬品類のうち最下のものの後端を押すものであるが、厚い薬品類を確実に押せるよう背を高くするとともに高速動作時の衝撃を緩和するために、基端部２１が固く、先端部２２が柔らかく、全高が緩衝部材３０より高くなっている。基端部２１は、幅が無端ベルト１６のそれとほぼ同じで、反力で後ろに倒れないよう底面が前後にも広くなっている。先端部２２は、可撓性に富んだ多数の線状部材からなり、線状部材が髭状・櫛歯状に列設されている。排出口１３のところでは、押出部材２０が無端ベルト１６の上側外周面に位置して先端部２２の線状部材が上に向けて延びた状態になるのに対し、可撓性留具１４の線状部材は常に下向きになっているうえ、可撓性留具１４の下端位置より先端部２２の上端位置の方が高いため、無端ベルト１６による押出部材２０の前送り中に押出部材２０の先端部２２と可撓性留具１４の下端部とが干渉しながらも引っ掛かることなく擦れ違うようになっている。
【００３３】
緩衝部材３０は、弾性変形して薬品類の落下の衝撃を緩和するためのものであり、無端ベルト１６に装着されて押出部材２０に後続している。押出部材２０から離れるほど背が低くなっており、具体的には、例えば図示の４個といった複数の可撓性板状体３１〜３４からなる。可撓性板状体３１〜３４は、大きさは別として、何れも、可撓性に富んだ板状体たとえばプラスチックテープから作られ、幅が無端ベルト１６のそれとほぼ同じで、Ω字状に湾曲した状態で、前後の二辺が無端ベルト１６にネジ止めやハトメ等にて取り付けられている。可撓性板状体３１〜３４は、大きいのが押出部材２０に近く、小さいほど押出部材２０から遠く、大小の順で一列に並んでおり、その傾斜角度θ２は無端ベルト１６の傾斜角度θ１より小さくなっている。
【００３４】
排出センサ１７は、例えば反射式の光学センサからなり、この例では排出口１３や無端ベルト１６前端の斜め下方で箱体１１の外底板の上面に設けられて、検出方向を上に向けている。そして、上方に薬品類が有って反射光が検出されるか或いは上方に薬品類が無くて反射光が検出されないかに応じてオンオフ信号を出力するものである。この信号に基づいて図示しない上述の制御回路が、最下の薬品類が前方へ横送りされて排出口１３から出てくると、その最下の薬品類の排出開始を検知し、その薬品類が排出口１３から抜け落ちて上方から前方へ去ると、排出完了を検知するようになっている。
【００３５】
この実施例１の薬品類カセット１０について、その使用態様及び動作を、図面を引用して説明する。図２は、（ａ）がＰＴＰ包装剤６の斜視図、（ｂ）がＰＴＰ束包装体８の斜視図、（ｃ）がＰＴＰ束包装体８を積重収納した薬品類カセット１０の斜視図、（ｄ）がＰＴＰ束包装体８を積重収納した薬品類カセット１０の縦断面図である。また、図３（ａ）〜（ｃ），図４（ａ）〜（ｃ）は、いずれも薬品類カセット１０の要部の縦断面図であり、ＰＴＰ束包装体８の排出動作を時系列で示している。さらに、図５は、緩衝部材３０の塑性変形による調整例を示し、（ａ）〜（ｂ）いずれも押出部材２０と緩衝部材３０の側面図である。
【００３６】
このカセット１０に整列収納される薬品類の典型例は、ＰＴＰ包装剤６を束ねてから包装したＰＴＰ束包装体８である。ＰＴＰ包装剤６を複数枚重ねただけで束ねずに包装したものでも良い。ＰＴＰ包装剤６の典型的な形状は片面が平坦で片面に薬剤収納用突部（ポケット）の列設された角板状である（図２（ａ）参照）。ＰＴＰ包装剤６の典型的なサイズは幅が数十ｍｍで長さが百数十ｍｍであり、典型的な重量・質量は数十ｍｇ〜百数十ｍｇであり、典型的な厚みは数ｍｍである。ＰＴＰ束包装体８は（図２（ｂ）参照）、ＰＴＰ包装剤６を複数枚たとえば１０枚ほど重ねてから帯状フイルム等で束ね、それを軟質の袋に詰めたものであり、典型的な厚みが数十ｍｍである。
【００３７】
初期状態の薬品類カセット１０では（図２（ｃ），（ｄ）参照）、無端ベルト１６による押出部材２０の前送り動作が停止している。このとき、押出部材２０が可撓性留具１４と対向して排出口１３を塞ぐところに来ており、しかも、ＰＴＰ束包装体８を補充するとＰＴＰ束包装体８が緩衝部材３０の上に乗るところに緩衝部材３０が来ている。
そして、薬品類カセット１０が空の場合は手作業でＰＴＰ束包装体８を解放上面から補充するが、薬品類カセット１０の背後からＰＴＰ束包装体８を補充したいときには、可動板１９が吊り下げられて揺動可能になっているので、可動板１９を手先で動かして、薬品類カセット１０の背面を開け、そこからＰＴＰ束包装体８を補充すると良い。
【００３８】
補充に際しては、各々のＰＴＰ束包装体８を横にしたうえで、多数のＰＴＰ束包装体８の厚み方向を同じ向きに揃えて、それらを緩衝部材３０と内底板１５の上に積み上げることで、箱体１１内にＰＴＰ束包装体８を縦に積み重ねて収納する。それから、収納したＰＴＰ束包装体８の並びを整えたいときには、ＰＴＰ束包装体８の後端を指等で軽く押したり、可動板１９で軽く押したりして、ＰＴＰ束包装体８を整列させると良い。こうして、整列収納されたＰＴＰ束包装体８は、内底板１５の傾斜角度θ２より小さな傾斜角度（θ１−θ２）かそれに近い穏やかな傾斜角度で前下がり状態になって、前端を箱体１１の前板か可撓性留具１４に当てて位置が決まり、その順次排出の準備が整う。
【００３９】
その後、ＰＴＰ束包装体８を一つずつ排出させるときには、図示しない制御回路に排出の指令や指示を与えて、薬品類カセット１０に排出動作を行わせる。具体的には、制御回路が、排出センサ１７の反射光不検出を確認しつつ、電動モータ１８を作動させる。そうすると、無端ベルト１６が循環し、それに随伴して押出部材２０と緩衝部材３０が巡回移動する。その際、初めは（図３（ａ）参照）、押出部材２０が前へ移動して排出口１３から離れ、それに続いて緩衝部材３０も前進するが、緩衝部材３０は、内底板１５及び無端ベルト１６の傾斜角度θ１で下るため、それより小さな傾斜角度（θ１−θ２）のＰＴＰ束包装体８から離れながら、ＰＴＰ束包装体８と無端ベルト１６との間から抜け出す。
【００４０】
こうして緩衝部材３０が下積みのＰＴＰ束包装体８の下から円滑に抜けるので、押出部材２０と緩衝部材３０が速やかに押出排出に向かうこととなり、直ちに（図３（ｂ）参照）、押出部材２０と緩衝部材３０が、無端ベルト１６の前端で転回して、無端ベルト１６の上側から下側に移行し、後方に進む。この転回動作は、緩衝部材３０の前後方向全長が長くても、比較的短い押出部材２０と同様、緩衝部材３０についても円滑に行われる。すなわち、緩衝部材３０を可撓性板状体３１〜３４に分割したうえで、可撓性板状体３１〜３４を湾曲させて前後二辺を無端ベルト１６に取り付けたことにより、緩衝部材３０が、押出部材２０より長いものであっても、無端ベルト１６の直進にも転回にも無理なく変形して、押出部材２０を的確に追い掛ける。
【００４１】
また、前側を支えていた緩衝部材３０に抜けられた最下のＰＴＰ束包装体８は、前下がり揺動を行って（図３（ｂ）参照）、全長に亘って内底板１５に乗り（図３（ｃ）参照）、傾斜角度（θ１−θ２）から傾斜角度θ１へと傾きを増すので、自重のうち排出口１３へ向かう分力が強くなり、前進し易くなる。そして、最下のＰＴＰ束包装体８の前端が排出口１３に臨んだ頃には、無端ベルト１６の後端で上向きに転回して無端ベルト１６の上側に移行した押出部材２０が、内底板１５に沿って後方から前方へ進行する。そして、最下のＰＴＰ束包装体８の後端のところまで前進すると（図３（ｃ）参照）、その押出部材２０が、最下のＰＴＰ束包装体８の後端を押して、ＰＴＰ束包装体８を前進させる。
【００４２】
それから（図４（ａ）参照）、押出部材２０が無端ベルト１６によって更に前送りされると、押出部材２０の後押しによって最下ＰＴＰ束包装体８が横送りされて、可撓性留具１４を押し退けながら最下ＰＴＰ束包装体８が排出口１３から半身を出す。一方、最下ＰＴＰ束包装体８の上に積み重なっていたＰＴＰ束包装体８は、最下ＰＴＰ束包装体８の直ぐ上の下積みＰＴＰ束包装体８も含めて、箱体１１の前板に当接して、前進を阻止される。そのため、下積みＰＴＰ束包装体８は、最下ＰＴＰ束包装体８が前進して抜け出るに連れて、後部の支えがなくなるので、後ろ下がり揺動が惹起されるが、先ほどの前下がり揺動の慣性が残っている間に素早く横送りがなされれば、後ろ下がり揺動の開始が遅れる。
【００４３】
そして（図４（ｂ）参照）、最下ＰＴＰ束包装体８の全体が排出口１３から抜け出ようとするときになっても、下積みＰＴＰ束包装体８は、後ろ下がり揺動の増大が緩和抑制されて、後ろ下がり揺動によって傾斜角度が内底板１５の傾斜角度θ１より小さくなったとは言っても前下がり状態を維持しながら、落下する。そして、その落下より先に、最下のＰＴＰ束包装体８が押し出されて出来た間隙に素早く、押出部材２０に続いて緩衝部材３０が入り込む。さらに（図４（ｃ）参照）、押出部材２０が前進すると。押出部材２０の後押しによって最下ＰＴＰ束包装体８が横送りされて排出口１３から外に出る。
【００４４】
最下ＰＴＰ束包装体８が排出口１３から前方へ排出されると、その排出中のＰＴＰ束包装体８からの反射光が排出センサ１７によって検出され、これに応じて適宜なタイミングで電動モータ１８の作動が停止されるので、無端ベルト１６の循環動作が止まり、押出部材２０と緩衝部材３０の巡回移動も止まる。そして、残りの積重ＰＴＰ束包装体８が一斉に自由落下したときには、新たに最下ＰＴＰ束包装体８となったものが、緩衝部材３０に乗って、あるいは前半部分を緩衝部材３０に乗せるとともに後端部を内底板１５に乗せて、下から支持される。この場合、落下時の落差が緩衝部材３０によって縮められて小さくなっているため、下積みのＰＴＰ束包装体８に掛かる衝撃が弱まる。もちろん、緩衝部材３０の緩衝作用によっても衝撃が緩和されるため、衝撃の影響が一層弱まるので、ＰＴＰ束包装体８の破損や整列の乱れが的確に防止される。
【００４５】
また、押出部材２０に後続して設けられている緩衝部材３０が押出部材２０から離れるほど低くなっているが、この緩衝部材３０の傾きが、落下する下積みＰＴＰ束包装体８の揺動の向きに合っているので、揺動に起因した衝撃も緩和され、衝撃の影響が更に弱まる。すなわち、前下がり揺動の後に後ろ下がり揺動して穏やかな前下がり状態で落下するＰＴＰ束包装体８の傾斜角度と、そのＰＴＰ束包装体８を受け止める緩衝部材３０の水平からの傾斜角度（θ１−θ２）との差が小さいので、達磨落とし時の衝撃や乱れも小さい。
さらに、達磨落とし時に下積みＰＴＰ束包装体８が或る程度揺動することは避けられないが、その揺動によって誘発されるＰＴＰ束包装体８の整列の乱れは、可動板１９によってかなり抑制される。
【００４６】
また、無端ベルト１６の循環動作の止まるタイミングは、押出部材２０の先端部２２が可撓性留具１４と干渉するところか僅かに外れたところに押出部材２０が位置するタイミングなので、無端ベルト１６による押出部材２０と緩衝部材３０の前送りが停止するとき、押出部材２０と緩衝部材３０が初期位置に戻って、緩衝部材３０がＰＴＰ束包装体８を乗せて支えるところに位置するとともに、押出部材２０が可撓性留具１４と対向して排出口１３を塞ぐところに位置するので、ＰＴＰ束包装体８の誤排出は確実に防止される。
こうして、この薬品類カセット１０にあっては、ＰＴＰ包装剤６より厚いＰＴＰ束包装体８であっても安定して円滑かつ確実に一枚ずつ排出することができる。
【００４７】
なお（図５参照）、可撓性板状体３１〜３４を例えば指で摘んで強く曲げれば、弾性限を超えて可撓性板状体３１〜３４が塑性変形するので、緩衝部材３０の形状に係る微調整を製造時に限らず稼働開始後でも容易に行うことができる。例えば、湾曲部の曲率を急にして緩衝部材３０の背を高くしたり（図５（ａ）参照）、湾曲形状を丸形から角形に近づけて高さを変えずに弾撥力を強化したり（図５（ｂ）参照）、現場でも、道具が無くても、簡単に行える。
【実施例２】
【００４８】
本発明の薬品類払出装置に係る実施例２について、その具体的な構成を、図面を引用して説明する。図６は、薬品類払出装置４０の棚部の構造を示し、（ａ）が整列収納部４１を分離した状態の棚部の斜視図、（ｂ）が整列収納部４１を装着した状態の棚部の斜視図である。また、図７は、薬品類払出装置４０の全体構造を示し、（ａ）が正面図（ＢＢ矢視の縦断面図）、（ｂ）が側面図（ＡＡ矢視の縦断面図）である。
【００４９】
この薬品類払出装置４０にあっては、各種のＰＴＰ束包装体８から所望のものを自動で払い出せるよう、上述の薬品類カセット１０相当物が傾斜棚４２に列設されている。
薬品類カセット１０相当物は、着脱部分の整列収納部４１と固定部分の順次排出機構４３とからなる。整列収納部４１には、箱体１１とラベル１２と排出口１３と可撓性留具１４と内底板１５（内底部材）と可動板１９とが引き継がれており、内底板１５よりも下の部分たとえば外底板は除かれている。
【００５０】
順次排出機構４３には、無端ベルト１６（送り機構）と排出センサ１７と電動モータ１８と押出部材２０と緩衝部材３０とが引き継がれており、順次排出機構４３は外底板でなく傾斜棚４２に取り付けられている。
順次排出機構４３の左右には座枠４４と座板４５との組立体が平行配置され、座枠４４は傾斜棚４２に立設され、その座枠４４から分岐した状態の座板４５が内向きにされているので、そこに箱体１１の下端を載せることで整列収納部４１の着脱が行える。
【００５１】
このような傾斜棚４２に加えて収集払出機構４６〜４８も装備して、薬品類払出装置４０は、左右の長手方向には水平に保持され少し前下がり傾斜している４段の傾斜棚４２と、傾斜棚４２それぞれについて長手方向に複数個・多数個列設された順次排出機構４３と、ＰＴＰ束包装体８を各々は横にしたうえで縦に積み重ねて整列収納させた状態で内底板１５の上面に載せて保持する箱体１１からなり順次排出機構４３の上に一つずつ装着される整列収納部４１と、整列収納部４１から順次排出機構４３にて排出されたＰＴＰ束包装体８を収集して払い出す収集払出機構４６〜４８とを備えたものとなっている。
【００５２】
また、上述したように順次排出機構４３は、整列収納部４１に保持されているＰＴＰ束包装体８のうち最下のものの後端を押す押出部材２０と、押出部材２０に後続して設けられ押出部材２０から離れるほど低くなる緩衝部材３０と、押出部材２０と緩衝部材３０を内底板１５に沿って前送りする送り機構として無端ベルト１６を具備していて、ＰＴＰ束包装体８を下から順に横送りして前方へ排出するようになっている。
さらに、収集払出機構４６〜４８には、順次排出機構４３の前方・排出先に配された落下案内路４６と、落下案内路４６の下方に配置された搬送機構４７と、その搬出先に形成された払出口４８とが含まれている。
【００５３】
この場合、或る整列収納部４１には上述のＰＴＰ束包装体８が整列収納され、他の整列収納部４１には別の薬品類が整列収納される。
そして、処方箋データ又は派生した調剤指示箋データに基づき、図示しないコントローラによって適宜な順次排出機構４３に排出指令が出されると、それを受けた各々の順次排出機構４３によってそこに装着されている整列収納部４１から薬品類カセット１０について上述したようにしてＰＴＰ束包装体８などの薬品類が逐次排出・順次排出される。排出された薬品類は、落下案内路４６を下って搬送機構４７上に落ち、搬送機構４７によって運ばれ払出口４８から装置外へ出される。
こうして、各種のＰＴＰ束包装体８等から所望のものが自動で払い出される。
【００５４】
［その他］
上記実施例では、箱体１１の左右両面の固定板がＰＴＰ束包装体８より後方まで延びていたが、これは必須でない。ＰＴＰ束包装体８を積み重ねて収容できれば、箱体１１の左右両面の固定板は、ＰＴＰ束包装体８の途中までしか延びていなくても良い。可動板１９の吊り下げ手段は、横棒の延長などで、別途確保されていれば良い。
上記実施例２の薬品類払出装置４０では棚４２が４段設けられていたが棚４２の段数は任意であり一段だけでも良く複数段でも良い。
【００５５】
上記実施例では、電動モータ１８が箱体１１の後方に設けられていたが、電動モータ１８の設置箇所は他の部位でも良く、例えば内底板１５や無端ベルト１６の下方に格納しても良い。直接駆動も必須でなく、例えばベルトやギヤを介して駆動しても良く、伝動と共に減速等の速度変換まで行うようにしても良い。
薬品類カセット１０や整列収納部４１の誤装着を防止するには、タグ読取の手法が有効であり、タグ読取手法としては、ＩＣカード等の接触読取や、ＲＦＩＤ(Radio Frequency IDentification)等の近距離無線通信方式タグ情報読取が、使い易い。
【産業上の利用可能性】
【００５６】
この発明は、厚みのある軟質包装の薬品類の逐次排出に特に有用なものであるが、そのことをもって他の形状・性質の薬品類への適用が除外される訳でなく、上下に積み重ねることができ且つ達磨落とし様に下から抜き取れる薬品類であれば、その逐次排出に適用することができる。例えば、箱状の薬剤や束ねたＰＴＰ包装剤の他、アンプル・バイアル・造影剤等の容器入り注射薬や、角形プラスチックボトル等に収容された錠剤・散剤・軟膏・目薬等の医薬品、その他の補助薬品等も、取扱対象となりうる。
また、本発明の薬品類カセットは、単体で使用できる他、薬剤払出装置の一部や全部に着脱式で組み込んでも良い（例えば特許文献２参照）。
【図面の簡単な説明】
【００５７】
【図１】本発明の実施例１について、薬品類カセットの構造を示し、（ａ）がカセットの斜視図、（ｂ）が押出部材と緩衝部材の斜視図、（ｃ）〜（ｄ）が押出部材と緩衝部材の側面図、（ｅ）が空のカセットの縦断面図である。
【図２】薬品類カセットの使用態様や動作状態を示し、（ａ）がＰＴＰ包装剤の斜視図、（ｂ）がＰＴＰ束包装体の斜視図、（ｃ）がＰＴＰ束包装体を積重収納したカセットの斜視図、（ｄ）がＰＴＰ束包装体を積重収納したカセットの縦断面図である。
【図３】（ａ）〜（ｃ）いずれもＰＴＰ束包装体の排出動作時のカセットの縦断面図である。
【図４】（ａ）〜（ｃ）いずれもＰＴＰ束包装体の排出動作時のカセットの縦断面図である。
【図５】緩衝部材の調整例を示し、（ａ）〜（ｂ）いずれも押出部材と緩衝部材の側面図である。
【図６】本発明の実施例２について、薬品類払出装置の棚部の構造を示し、（ａ）が整列収納部分離状態の棚部の斜視図、（ｂ）が整列収納部装着状態の棚部の斜視図である。
【図７】薬品類払出装置の全体構造を示し、（ａ）が正面図（ＢＢ矢視の縦断面図）、（ｂ）が側面図（ＡＡ矢視の縦断面図）である。
【符号の説明】
【００５８】
６…ＰＴＰ包装剤、８…ＰＴＰ束包装体、
１０…薬品類カセット、
１１…箱体、１２…ラベル、１３…排出口、
１４…可撓性留具、１５…内底板、１６…無端ベルト、
１７…排出センサ、１８…電動モータ、１９…可動板、
２０…押出部材、２１…基端部、２２…先端部、
３０…緩衝部材、３１〜３４…可撓性板状体、
４０…薬品類払出装置、
４１…整列収納部、４２…傾斜棚、
４３…順次排出機構、４４…座枠、４５…座板、
４６…落下案内路、４７…搬送機構、４８…払出口
【図１】
2010017372.tif 000003
【図２】
2010017372.tif 000004
【図３】
2010017372.tif 000005
【図４】
2010017372.tif 000006
【図５】
2010017372.tif 000007
【図６】
2010017372.tif 000008
【図７】
2010017372.tif 000009